(57)【特許請求の範囲】
【請求項１】
左右一対の側壁と背面を有し、前面と天井面にまたがって開口するケース本体と、上記ケース本体の開口を蓋する蓋部と、上記ケース本体の内側空間に収容される商品陳列ユニットとを備え、
上記蓋部は、その左右両側縁における奥端より所定距離だけ手前寄りの位置に設けられた前側連結板から左右に突出する蓋部回転軸部を、これに対向する上記ケース本体の開口の左右両側壁に形成された本体係合穴に係合させることにより、回動自在に連結され、
上記ケース本体内の商品陳列ユニットは、そのユニット前端部が、ケース本体の内側空間の前面側に設けられた段部に載置され、そのユニット後端部から左右に突設されたユニット回転軸部が、上記蓋部とケース本体の連結の回動支軸より後側に設けられた後側連結板の蓋部係合穴と回動自在に連結された状態で、ケース本体内に収容されており、
上記蓋部の開動作に伴い、上記蓋部回転軸部と本体係合穴とからなる前側連結部を回転軸として蓋部が回動した際、それに伴い、上記蓋部奥端側の蓋部係合穴と商品陳列ユニットのユニット回転軸部とからなる後側連結部が、これら連結部間の回動支軸の位置のずれに起因して、内側空間の前面側に移動することにより、ケース本体内の上記商品陳列ユニットが、ケース本体の内側空間からケース手前側に押し出されるようになっていることを特徴とする商品陳列ケース。
【請求項２】
上記ケース本体の前端部に、左右方向に延びる張り出し部が設けられており、上記蓋部の開動作に伴い、ケース本体内の商品陳列ユニットが、上記張り出し部を乗り越えて手前に押し出されるようになっている請求項１記載の商品陳列ケース。
【請求項３】
上記ケース本体に、蓋部の奥側への回動を制止するストッパが設けられている請求項１または２記載の商品陳列ケース。
【発明の詳細な説明】
【技術分野】
【０００１】
本発明は、化粧品，食品，薬品やそのテスター等の各種の商品を陳列する商品陳列用什器の陳列棚等に設けられる商品陳列ケースに関するものである。
【背景技術】
【０００２】
従来から、化粧品販売店等では、店員に相談することなく、顧客自身が店頭等で化粧品を自由に選択することができるよう、図１３に示すように、化粧品５１やテスター５２を、日用雑貨のように大量に陳列した陳列用什器５３の陳列棚５４に置くようにした店が増えてきている（例えば、特許文献１参照）。しかし、化粧品５１やテスター５２は、単に陳列棚５４に置かれているだけであり、顧客に与えるインパクトが小さく、宣伝効果に乏しい。しかも、従来の陳列用什器５３においては、蓋部を備えていないものがあり、不衛生である。また、蓋部を備えていても、顧客が使用した後に蓋部を開けたままの状態にしておくことがあり、やはり不衛生で顧客に不快感を与えるという問題がある。
【０００３】
そこで、陳列用什器５３に蓋部を取り付け、蓋部の開閉を簡単に行えるものとして、図１４に示すような商品陳列ケースが最近見受けられる。この商品陳列ケースは、前面および天井面が開口するケース本体５５と、このケース本体５５の開口を蓋する蓋部５６と、テスター用化粧料５８ａが収容されるテスター５８が保持されるテスターユニット５７とを備えており、上記蓋部５６の左右両側板５６ａの後端部がケース本体５５の左右両側板５５ａの後端部にヒンジ軸５５ｂを介して連結されている。また、上記テスターユニット５７の左右両側部の後端部が蓋部５６の左右両側板５６ａにヒンジ軸５７ａを介して連結されている。そして、上記蓋部５６を開蓋すると、この開動作に伴い、鎖線で示す位置にあるテスターユニット５７が、矢印Ａで示すように、持ち上げられて、顧客にインパクトを与えるようになっている。
【特許文献１】特開２００１−２９９５２３号公報
【発明の開示】
【発明が解決しようとする課題】
【０００４】
しかしながら、上記の商品陳列ケースでは、開蓋すると、テスターユニット５７が高さは高くなるものの、奥側に移動するため、テスターユニット５７が小さくなる印象となり、顧客にそれほど強いインパクトを与えることができない。しかも、顧客に対し、テスターユニット５７が奥側に遠ざかるため、テスターユニット５７を手にとって見たり試したりする際に、扱いにくいという問題がある。さらに、蓋部５６はその後端部を中心に回動するため、開蓋した蓋部５６の高さが高くなり、その後方にも商品が陳列されている場合は、蓋部５６が邪魔になって商品が見にくいうえ、商品を手にとって試したりする際に、動作の邪魔になるという問題もある。
【０００５】
本発明は、このような事情に鑑みなされたもので、顧客に強いインパクトを与えることができ、しかも、扱いやすい商品陳列ケースの提供をその目的とする。
【課題を解決するための手段】
【０００６】
上記の目的を達成するため、本発明の商品陳列ケースは、左右一対の側壁と背面を有し、前面と天井面にまたがって開口するケース本体と、上記ケース本体の開口を蓋する蓋部と、上記ケース本体の内側空間に収容される商品陳列ユニットとを備え、上記蓋部は、その左右両側縁における奥端より所定距離だけ手前寄りの位置に設けられた前側連結板から左右に突出する蓋部回転軸部を、これに対向する上記ケース本体の開口の左右両側壁に形成された本体係合穴に係合させることにより、回動自在に連結され、上記ケース本体内の商品陳列ユニットは、そのユニット前端部が、ケース本体の内側空間の前面側に設けられた段部に載置され、そのユニット後端部から左右に突設されたユニット回転軸部が、上記蓋部とケース本体の連結の回動支軸より後側に設けられた後側連結板の蓋部係合穴と回動自在に連結された状態で、ケース本体内に収容されており、上記蓋部の開動作に伴い、上記蓋部回転軸部と本体係合穴とからなる前側連結部を回転軸として蓋部が回動した際、それに伴い、上記蓋部奥端側の蓋部係合穴と商品陳列ユニットのユニット回転軸部とからなる後側連結部が、これら連結部間の回動支軸の位置のずれに起因して、内側空間の前面側に移動することにより、ケース本体内の上記商品陳列ユニットが、ケース本体の内側空間からケース手前側に押し出されるようになっているという構成をとる。
【発明の効果】
【０００７】
すなわち、本発明の商品陳列ケースは、閉蓋状態では、商品陳列ユニットが、その前端部をケース本体の内側空間の前端部の段部に載置した状態で、ケース本体内に収容されている。そして、開蓋すると、この開動作に伴い、蓋部とケース本体開口との前側連結部を回転軸として蓋部が回動するとともに、蓋部の奥端と商品陳列ユニット奥端部との後側連結部が手前に移動し、これにより、商品陳列ユニットがケース本体の内側空間から手前に押し出されるようになっている。したがって、上記商品陳列ユニットの移動によって、顧客に対し、商品陳列ユニットが大きくなったかのような印象を与え、強いインパクトを与えることができる。しかも、商品陳列ユニットが顧客に近づくため、商品陳列ユニットを手にとって見たり試したりする際に、扱いやすいという利点を有する。さらに、蓋部は、その奥端より所定距離だけ手前の個所で回動するため、開蓋した蓋部の高さが低く、その後方に商品が陳列されている場合、商品が見やすいうえ、商品を手にとって試したりする際に、蓋部があまり動作の邪魔にならないという利点も有する。
【０００８】
また、本発明において、上記ケース本体の前端部に、左右方向に延びる張り出し部が設けられており、上記蓋部の開動作に伴い、ケース本体内の商品陳列ユニットが、上記張り出し部を乗り越えて手前に押し出されるようになっている場合には、商品陳列ユニットが張り出し部を乗り越えてさらに手前に押し出されるため、顧客に対し、より強いインパクトを与えることができるうえ、さらに扱いやすくなる。
【０００９】
また、本発明において、上記ケース本体に、蓋部の奥側への回動を制止するストッパが設けられている場合には、このストッパによって、蓋部が奥側に回動しすぎることが防がれるため、商品陳列ユニットが手前に出すぎて顧客に接触したり元に戻りにくくなる等の不具合が無くなる。
【発明を実施するための最良の形態】
【００１０】
つぎに、本発明を実施するための最良の形態について説明する。ただし、本発明は、この実施の形態に限られるものではない。
【００１１】
図１は本発明の商品陳列ケースの一実施の形態を示している。この商品陳列ケースは、従来公知の化粧品陳列用什器の陳列棚（例えば、図１３の陳列棚５４参照）に着脱自在に固定されて用いられるもので、前面と天井面にまたがって開口するケース本体１と、このケース本体１の開口１ａを蓋する透明な蓋部２と、テスター等の商品４が陳列保持される商品陳列ユニット３とで構成されている。
【００１２】
より詳しく説明すると、上記ケース本体１は、図１の断面図である図２と、同じくその正面図である図３に示すように、前面壁１１と、この前面壁１１より高く形成されこの前面壁１１との間に所定の隙間をあけて配設される背面壁１２と、左右一対の側壁１３とで構成されており、これにより、上記ケース本体１の前面と天井面にまたがるようにして、開口１ａが形成されている。
【００１３】
上記背面壁１２には、化粧品陳列用什器の陳列棚に着脱自在に固定するための係合部（図示せず）が設けられている。また、上記各側壁１３の上部にはそれぞれ、その後端縁（奥端）から所定の距離だけ手前に寄った位置（前面壁１１，背面壁１２間の略中間位置）であって、後述する蓋部２側の蓋部回転軸部２１ａに相対する位置に、その蓋部回転軸部２１ａとヒンジ連結するための本体係合穴１３ａがそれぞれ穿設されている。
【００１４】
また、上記各側壁１３にはそれぞれ、図３のＡ−Ａ′断面の部分拡大図である図４に示すように、その手前側部分の内面に、左右一対の湾曲ガイド１３ｂ（図４では、一方の湾曲ガイド１３ｂしか図示せず）が形成されており、その上面を、後述する商品陳列ユニット３の後側突部２６ａが、蓋部２の開閉時に摺動するようになっている。そして、各湾曲ガイド１３ｂの上面略中央には突部１３ｃが形成されており、上記蓋部２の開閉動作の途中で、後側突部２６ａがこの突部１３ｃを乗り越えることによって、後側突部２６ａが突部１３ｃより手前の位置に保持され、開蓋状態が保持されるようになっている（図９参照）。
【００１５】
また、上記各側壁１３の前面の下部から手前側に、左右一対の突片１４が突設されており、各突片１４に形成される上下の凹部１４ａ，１４ｂ（図４参照）に、後述する棒状張り出し部１８の上下の係合突部１８ａ，１８ｂ（図１参照）が着脱自在に係合することにより、棒状張り出し部１８が取り付けられている。
【００１６】
また、ケース本体１の前面壁１１は、図４に示すように、縦板部１５と、この縦板部１５の上縁から手前に延設されるく字状段部１６と、このく字状段部１６の前端縁から手前側に傾斜する傾斜部１７とからなっており、この傾斜部１７の前面に、棒状張り出し部１８が、前述の各突片１４との係合によって着脱自在に取り付けられている。そして、上記く字状段部１６上に、ケース本体１内に収容された商品陳列ユニット３の前端部が載置されている。また、上記前側傾斜部１７の左右両側縁が切り欠かれており、この切り欠き部１７ａによって上記各突片１４が左右に撓むことができるようになっている。また、上記背面壁１２の上端縁から手前側に上壁１９が延設されており、この上壁１９の前端面１９ａが、上記蓋部２の奥側への回動を制止するストッパ１９ａになっている。
【００１７】
上記ケース本体１の開口１ａを蓋する蓋部２は、上記開口１ａを塞ぐために、上方に緩やかに湾曲する矩形状の透明板状体で構成されており、その裏面図である図５に示すように、上記蓋部２の左右両側縁において、その奥端（後端）から所定の距離だけ手前に寄った位置（ケース本体１の前面壁１１，背面壁１２間の略中間位置）に、前側連結板２１，後側連結板２２が、それぞれ並んで垂下している。そして、各前側の前側連結板２１の外側面には、蓋部回転軸部２１ａがそれぞれ突設されており、この蓋部回転軸部２１ａが、前記ケース本体１の各側壁１３に形成された本体係合穴１３ａに係合することにより、ヒンジ連結（ケース前側の連結部）が形成されている。なお、この部分のＢ矢視図を図６に示す。また、各後側連結板２２には、それぞれ、後述する商品陳列ユニット３側のユニット回転軸部２５と係合してヒンジ連結する蓋部係合穴２２ａ（ケース後側の連結部）が穿設されている。なお、上記蓋体２の前端縁（手前側）の中央には、蓋部２を開閉するための摘まみ部２３が突設されている。
【００１８】
上記ケース本体１内に収容される商品陳列ユニット３は、その平面図である図７に示すように、上面が開口する横長の角皿状のケース３ａ内に、テスター保持具４が収容された構成になっている。このテスター保持具４には、左右３つの凹部４ａが並んで形成されており、各凹部４ａに、テスター用化粧料５ａが充填されたテスター５が収容されている。なお、上記テスター５に代えて、本物の化粧料が充填された販売用のレフィル用中皿（図示せず）を用いてもよい。
【００１９】
上記商品陳列ユニット３のケース３ａには、図７のＣ矢視図である図８に示すように、その左右両側部の後端部に左右一対のユニット回転軸部２５がそれぞれ突設されており、このユニット回転軸部２５が、前記蓋部２の後側連結板２２に形成された蓋部係合穴２２ａと係合することにより、ヒンジ連結（後側連結部）が形成されている。また、上記左右両側部には、図８に示すように、上記ユニット回転軸部２５の手前側に、商品陳列ユニット３の動作を規制するための２つの突部２６ａ，２６ｂが前後に形成されている。上記後側突部２６ａは、すでに述べたように、上記両動作の途中で上記湾曲ガイド１３ｂの上面を摺動し突部１３ｃを乗り越えることによって開蓋状態を安定的に保持するようになっている。また、上記前側突部２６ａは、前記湾曲ガイド１３ｂの下方を移動するようになっており、開蓋状態で商品陳列ユニット３の手前側部分が上に上がりすぎると、湾曲ガイド１３ｂの下面に当接して、それ以上に上がることを防止するようになっている。
【００２０】
また、ケース３ａの背面壁に、所定間隔で２個一対の切欠き２７ａが垂直に設けられて、テスター保持具４の背面を弾力的に押圧する弾性片２７が形成されている。また、その前面壁の内面には、テスター保持具４の前面の凹状縦溝（図示せず）にスライド自在に係合する複数の突条２８が突設されており、これにより、テスター保持具４が着脱自在に固定されている。
【００２１】
上記の構成によれば、ケース本体１の本体係合穴１３ａと蓋部２の蓋部回転軸部２１ａとの係合（前側連結部）によって、蓋部２と、これに上記蓋部係合穴とユニット回転軸部のヒンジ連結（後側連結部）を介して連結される商品陳列ユニット３とが、ケース本体１に支受されている。また、閉蓋状態では、ケース本体１内に商品陳列ユニット３が前下り姿勢で収容されており、その前端部がケース本体１のく字状段部１６上に載置されている。この閉蓋状態から、蓋部２の手前側の摘まみ部２３を持ち上げ（図１０）、蓋部２全体を上記蓋部回転軸部２１ａ（後側連結部）を中心として奥側に回動させてストッパ１９ａに当たるまで開動作（図１０）すると、これに伴って、蓋部２奥端側の蓋部係合穴２２ａと商品陳列ユニット３のユニット回転軸部２５とからなる後側のヒンジ連結部（後側連結部）と、これに繋がる蓋部２の後端部（奥端）とが手前に移動し、この移動によって、図１０に示すように、商品陳列ユニット３が棒状張り出し部１８を乗り越えてケース手前側に移動するようになっている。
【００２２】
一方、商品陳列ユニット３の後側突部２６ａは、上記開動作の途中でケース本体１の湾曲ガイド１３ｂの上面に乗ってここを摺動する（図１０参照）。そして、蓋部２がストッパ１９ａに近づくと、後側突部２６ａが湾曲ガイド１３ｂの突部１３ｃを乗り越え（図１１参照）、突部１３ｃの手前の位置に安定した状態で保持される（図９参照）。したがって、蓋部２が開いた状態で安定して保持される。一方、前側突部２６ｂは、湾曲ガイド１３ｂの下方を移動している。なお、上記後側突部２６ａが湾曲ガイド１３ｂの突部１３ｃを乗り越える際に、図１１の矢印に示すように、商品陳列ユニット３は押し上げられるが、大きく上がりすぎると、前側突部２６ｂが湾曲ガイド１３ｂの下面に当たり、それ以上上がらないようになっている。また、開蓋状態で商品陳列ユニット３を誤って押し上げることがあっても、ある程度押し上げられると、前側突部２６ｂが湾曲ガイド１３ｂの下面に当たり、それ以上押し上げられないようになっている。
【００２３】
このように、上記実施の形態では、開蓋すると、商品陳列ユニット３がケース本体１の内側空間から棒状張り出し部１８を乗り越えて手前に押し出されるため、顧客に対し、商品陳列ユニット３が大きくなったように見せることができ、強いインパクトを与えることができる。しかも、商品陳列ユニット３が顧客に近づくため、商品陳列ユニット３を手にとって見る等する際に、扱いやすい。さらに、蓋部２が奥側に所定角度だけ回動すると、ストッパ１９ａによって制止されるため、商品陳列ユニット３が手前に出すぎて顧客に接触するような不具合がなくなる。そのうえ、ケース３ａの背面壁に形成された弾性片２７の弾力性によって、商品陳列ユニット３の出し入れ時の衝撃が緩和され、内側のテスター５が保護されるようになっている。さらに、蓋部２は、その奥端より手前で回動するため、開蓋した蓋部２の高さが低く、その後方に商品が陳列されている場合、商品が見やすいうえ、商品を手にとって試したりする際に、蓋部２があまり動作の邪魔にならないという利点も有する。
【００２４】
図１２は本発明の商品陳列ケースの他の実施の形態を示している。この実施の形態では、上記ケース本体１の各側壁１３に湾曲ガイド１３ｂおよび突部１３ｃが突設されておらず、上記商品陳列ユニット３の左右両側部の後部に後側突部２６ａおよび前側突部２６ｂが突設されていない。それ以外の部分は上記実施の形態と同様であり、同様の部分は同じ符号を付している。この実施の形態によれば、突部２６ａ，２６ｂがないため、商品陳列ユニット３の動作を規制することはできないものの、顧客に強いインパクトを与えることができ、しかも、開蓋状態で商品陳列ユニット３が扱いやすいという利点を有する。さらに、開動作時に商品陳列ユニット３が手前に出すぎることがなく、商品陳列ユニット３の出し入れ時の衝撃も緩和されるという利点や、蓋部２の後方に商品が陳列されている場合、商品が見やすい等の利点も有する。
【００２５】
また、上記両実施の形態において、ケース本体１には、棒状張り出し部１８を必ずしも取り付ける必要はないが、大きく手前に押し出した際に商品陳列ユニット３を安定して保持するためには、取り付けたほうがよい。さらに、商品陳列ユニット３の前部下面に弾性板を設け、この弾性板の緩衝効果により、振動等から商品陳列ユニット３内の商品４を保護するようにしてもよい。
【００２６】
また、上記両実施の形態において、上壁１９の前面のストッパ１９ａに代えて、背面壁１２の上端縁の前面をストッパ１９ａとして利用することもできる。さらに、ストッパ１９ａとして、ケース本体１から突片や棒状体等を設けるようにしてもよい。
【００２７】
なお、これらの実施の形態は、上記商品陳列ケースを化粧品陳列用什器の陳列棚に固定して用いるものであるが、この陳列棚上に載置される商品陳列用トレーの前端部等に固定して用いるものであってもよい。
【００２８】
また、上記両実施の形態では、商品陳列ユニット３として、３個のテスター５を保持したものを用いたが、テスター５の数や陳列形態は限定されない。そして、テスター５に限らず、各種の商品を陳列保持するものに適用することができる。
【図面の簡単な説明】
【００２９】
【図１】本発明の商品陳列ケースの一実施の形態を示す斜視図である。
【図２】上記商品陳列ケースの断面図である。
【図３】ケース本体の正面図である。
【図４】図３のＡ−Ａ′断面の部分拡大図である。
【図５】蓋部の裏面図である。
【図６】図５のＢ矢視図である。
【図７】商品陳列ユニットの平面図である。
【図８】図７のＣ矢視図である。
【図９】開蓋状態の商品陳列ケースを示す断面図である。
【図１０】上記商品陳列ケースの作用を示す説明図である。
【図１１】上記商品陳列ケースの作用を示す説明図である。
【図１２】本発明の商品陳列ケースの他の実施の形態を示す断面図である。
【図１３】従来例の化粧品陳列用什器を示す斜視図である。
【図１４】従来例の商品陳列ケースを示す断面図である。
【符号の説明】
【００３０】
１  ケース本体
１ａ  開口
２  蓋部
３  商品陳列ユニット
【図１】
0005285971.tif 000002
【図２】
0005285971.tif 000003
【図３】
0005285971.tif 000004
【図４】
0005285971.tif 000005
【図５】
0005285971.tif 000006
【図６】
0005285971.tif 000007
【図７】
0005285971.tif 000008
【図８】
0005285971.tif 000009
【図９】
0005285971.tif 000010
【図１０】
0005285971.tif 000011
【図１１】
0005285971.tif 000012
【図１２】
0005285971.tif 000013
【図１３】
0005285971.tif 000014
【図１４】
0005285971.tif 000015